(57)【特許請求の範囲】
【請求項１】
複数のＬＥＤと該複数のＬＥＤが表面に配置される配線基板とを有するＬＥＤモジュールと、該ＬＥＤモジュールを取り付ける取付板と、を備え、
前記配線基板は、平面視において、長尺状の外形形状をしており、
前記複数のＬＥＤは、前記配線基板の長手方向に沿って、複数の列に配置されており、
前記複数のＬＥＤは、複数の第１ＬＥＤと、複数の第２ＬＥＤとを含み、
前記複数の第１ＬＥＤと前記複数の第２ＬＥＤとは、異なる色の光を発光し、
前記ＬＥＤモジュールは、前記配線基板の前記表面に設けられた第１配線を用いて前記複数の第１ＬＥＤを電気的に接続させた第１回路と、前記配線基板の前記表面に設けられた第２配線を用いて前記複数の第２ＬＥＤを電気的に接続させ且つ前記第１回路と電気的に独立した第２回路とを有し、
前記複数のＬＥＤは、前記複数の列のうち、前記配線基板の短手方向における最も外側の列において、前記第１回路の第１ＬＥＤと前記第２回路の第２ＬＥＤとが前記配線基板の長手方向に沿って交互に配置される第１配置と、前記第１回路の第１ＬＥＤ同士または前記第２回路の第２ＬＥＤ同士の少なくとも何れか一方が前記配線基板の長手方向に沿って並んで配置される第２配置とで前記表面に配置されていることを特徴とする光源ユニット。
【請求項２】
前記配線基板は、短手方向における前記配線基板の外周端から前記第１配線または前記第２配線までの絶縁距離が、長手方向における前記複数のＬＥＤが配置された前記第１配置に対応する第１領域よりも前記第２配置に対応する第２領域で大きく、
前記配線基板は、さらに、厚み方向に貫通する孔部が前記第２領域で設けられており、
前記取付板は、金属材料により形成され、前記配線基板の前記表面と反対の裏面を一端面に配置させて、前記配線基板を固定する固定部を有しており、
前記取付板は、前記孔部に挿通させた前記固定部が前記配線基板を固定することを特徴とする請求項１に記載の光源ユニット。
【請求項３】
前記ＬＥＤモジュールは、前記第１配線と前記第２配線とを立体的に交差させるジャンパー素子を前記配線基板の前記表面に有していることを請求項２に記載の光源ユニット。
【請求項４】
前記複数のＬＥＤそれぞれは、前記配線基板の短手方向に沿って、アノード電極とカソード電極とが配置されており、
前記第２配置の前記複数の第１ＬＥＤは、隣り合う第１ＬＥＤのアノード電極が前記配線基板の長手方向に沿って並んで配置され且つ前記第１配線で電気的に接続されており、
前記第２配置の前記複数の第２ＬＥＤは、隣り合う第２ＬＥＤのアノード電極が前記配線基板の長手方向に沿って並んで配置され且つ前記第２配線で電気的に接続されていることを特徴とする請求項１ないし請求項３のいずれか１項に記載の光源ユニット。
【請求項５】
請求項１ないし請求項４のいずれか１項に記載の前記光源ユニットと、該光源ユニットが取り付けられる器具本体とを備えたことを特徴とする照明器具。
【発明の詳細な説明】
【技術分野】
【０００１】
本発明は、光源ユニットおよび照明器具に関し、特に、複数のＬＥＤを光源とする光源ユニットおよびそれを備えた照明器具に関する。
【背景技術】
【０００２】
近年、複数のＬＥＤを光源とする光源ユニットを備えた照明器具が利用され始めている。
【０００３】
この種の光源ユニットとしては、単色に発光するＬＥＤ素子群と、白色に発光するＬＥＤ素子群とを独立して配線した可変色発光ダイオードモジュールが知られている（たとえば、特許文献１）。
【０００４】
特許文献１の可変色発光ダイオードモジュールは、配線基板となる細長い長方形の基板上に並べたＬＥＤ素子を２種類とし、配線と制御回路も２系統としている。
【０００５】
別の光源ユニットとしては、異なる発光色のＬＥＤチップが実装された２種類のＬＥＤパッケージと、２種類のＬＥＤパッケージが直線上で交互に並ぶように配置された長手状の基板とを有する発光装置が知られている（たとえば、特許文献２）。
【０００６】
特許文献２の発光装置は、複数のＬＥＤパッケージを高密度で基板に実装しつつ、色むらの少ない光源を得ることができる、とされている。
【先行技術文献】
【特許文献】
【０００７】
【特許文献１】特開２００５−１００７９９号公報
【特許文献２】特開２０１３−１６２０３３号公報
【発明の概要】
【発明が解決しようとする課題】
【０００８】
ところで、光源ユニットでは、小型化を図りつつ、より色むらが少ない構成が求められており、上述の光源ユニットの構成だけでは十分でなく、更なる改良が求められている。
【０００９】
本発明は上記事由に鑑みて為されたものであり、その目的は、小型化を図りつつ、より色むらが少ない光源ユニットおよびそれを備えた照明器具を提供することにある。
【課題を解決するための手段】
【００１０】
本発明の光源ユニットは、ＬＥＤモジュールと、取付板と、を備えている。上記ＬＥＤモジュールは、複数のＬＥＤと、配線基板とを有している。上記配線基板は、上記複数のＬＥＤが表面に配置される。上記取付板は、上記ＬＥＤモジュールを取り付けることができるように構成されている。上記配線基板は、平面視において、長尺状の外形形状をしている。上記複数のＬＥＤは、上記配線基板の長手方向に沿って、複数の列に配置されている。上記複数のＬＥＤは、複数の第１ＬＥＤと、複数の第２ＬＥＤとを含んでいる。上記複数の第１ＬＥＤと上記複数の第２ＬＥＤとは、異なる色の光を発光する。上記ＬＥＤモジュールは、第１回路と、第２回路とを有している。上記第１回路は、上記配線基板の上記表面に設けられた第１配線を用いて、上記複数の第１ＬＥＤを電気的に接続させている。上記第２回路は、上記配線基板の上記表面に設けられた第２配線を用いて、上記複数の第２ＬＥＤを電気的に接続させている。上記第２回路は、上記第１回路と電気的に独立している。上記複数のＬＥＤは、上記複数の列のうち、上記配線基板の短手方向における最も外側の列において、第１配置と、第２配置とで、上記表面に配置される。上記第１配置では、上記第１回路の第１ＬＥＤと上記第２回路の第２ＬＥＤとが、上記配線基板の長手方向に沿って交互に配置される。上記第２配置では、上記第１回路の第１ＬＥＤ同士または上記第２回路の第２ＬＥＤ同士の少なくとも何れか一方が、上記配線基板の長手方向に沿って並んで配置されることを特徴とする。
【００１１】
本発明の照明器具は、上述の上記光源ユニットと、当該光源ユニットが取り付けられる器具本体とを備えたことを特徴とする。
【発明の効果】
【００１２】
本発明の光源ユニットは、小型化を図りつつ、より色むらを少なくすることが可能となる。
【００１３】
本発明の照明器具は、小型化を図りつつ、より色むらを少ない光源ユニットを備えた構成とすることが可能となる。
【図面の簡単な説明】
【００１４】
【図１】実施形態１の光源ユニットを説明する正面図である。
【図２】実施形態１の光源ユニットを示す斜視図である。
【図３】実施形態１の光源ユニットの要部を説明する正面図である。
【図４】実施形態１の光源ユニットの別の要部を説明する正面図である。
【図５】実施形態１の光源ユニットの要部を示す側面図である。
【図６】実施形態２の照明器具を示す分解斜視図である。
【図７】実施形態２の照明器具を示す別の分解斜視図である。
【図８】実施形態２の照明器具を示す断面図である。
【図９】実施形態２の照明器具を示す斜視図である。
【図１０】実施形態２の照明器具を示す回路図である。
【発明を実施するための形態】
【００１５】
（実施形態１）
以下では、本実施形態の光源ユニット１０について、図１ないし図５を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１６】
本実施形態の光源ユニット１０は、図１および図２に示すように、ＬＥＤモジュール１を備えている。光源ユニット１０は、取付板４を備えている。ＬＥＤモジュール１は、複数のＬＥＤ２と、配線基板３とを有している。配線基板３は、複数のＬＥＤ２が表面３ａａに配置される。取付板４は、ＬＥＤモジュール１を取り付けることができるように構成されている。配線基板３は、平面視において、長尺状の外形形状をしている。複数のＬＥＤ２は、配線基板３の長手方向に沿って、複数の列に配置されている。複数のＬＥＤ２は、２列で配置されている。複数のＬＥＤ２は、複数の第１ＬＥＤ２ａと、複数の第２ＬＥＤ２ｂとを含んでいる。図１では、便宜上、第１ＬＥＤ２ａを白抜きの四角形で例示し、第２ＬＥＤ２ｂを斜線の四角形で例示している。複数の第１ＬＥＤ２ａと複数の第２ＬＥＤ２ｂとは、異なる色の光を発光する。
【００１７】
ＬＥＤモジュール１は、第１回路と、第２回路とを有している。第１回路は、図３や図４に示す配線基板３の表面３ａａに設けられた第１配線３ｃ１を用いて、複数の第１ＬＥＤ２ａを電気的に接続させる。図３は、図１の紙面の下側における配線基板３を例示し、図４は、図１の紙面の上側における配線基板３を例示している。第２回路は、配線基板３の表面３ａａに設けられた第２配線３ｃ２を用いて、複数の第２ＬＥＤ２ｂを電気的に接続させる。第２回路は、第１回路と電気的に独立している。複数のＬＥＤ２は、上記複数の列のうち、配線基板３の短手方向における最も外側の列において、第１配置と、第２配置とで、表面３ａａに配置される。図１では、複数のＬＥＤ２が第１配置された例を破線で囲んだ第１部位２ｄ１に示し、複数のＬＥＤ２が第２配置された例を破線で囲んだ第２部位２ｄ２で示している。第１配置では、第１回路の第１ＬＥＤ２ａと第２回路の第２ＬＥＤ２ｂとが、配線基板３の長手方向に沿って交互に配置される。第２配置では、第１回路の第１ＬＥＤ２ａ同士または第２回路の第２ＬＥＤ２ｂ同士の少なくとも何れか一方が、配線基板３の長手方向に沿って並んで配置されている。
【００１８】
本実施形態の光源ユニット１０は、複数のＬＥＤ２を第１配置と第２配置で配置することで、小型化を図りつつ、より色むらを少なくすることが可能となる。
【００１９】
以下では、本実施形態の光源ユニット１０の構成について、より具体的に説明する。
【００２０】
光源ユニット１０は、図５に示すように、ＬＥＤモジュール１と取付板４とに加え、カバー部材８と、カバーエンド８ｆと、取付金具９と、コネクタ１０ａとを備えていることが好ましい。ＬＥＤモジュール１は、図１ないし図３に示すように、ＬＥＤ２と配線基板３とに加え、チップ部品３ｊと接続端子部３ｔとを備えた構成としている。ＬＥＤモジュール１は、配線基板３の長手方向に沿って、複数のＬＥＤ２をライン状に配置している。ＬＥＤモジュール１は、ライン状に１列に配置された複数のＬＥＤ２の一群を、配線基板３の短手方向に沿って、２列に配置する構成としている。ＬＥＤモジュール１は、ライン状に１列に配置された複数のＬＥＤ２の一群が２列で配置された構成だけに限られず、３列以上で配置された構成でもよい。ＬＥＤモジュール１は、ライン状に配置された複数のＬＥＤ２の１列を、配線基板３の短手方向に沿って、複数の列で配置させることで、より光出力を向上させることが可能となる。
【００２１】
ＬＥＤモジュール１は、ライン状に１列に配置された複数のＬＥＤ２の一群を、配線基板３の短手方向に沿って３列以上に配置させる場合、３列以上のうち、最も外側の列に挟まれた列の複数のＬＥＤ２を最も外側の列と同じ第１配置と第２配置の配置としてもよい。ＬＥＤモジュール１は、ライン状に１列に配置された複数のＬＥＤ２の一群を、配線基板３の短手方向に沿って、３列以上で配置させる場合、３列以上のうち、最も外側の列に挟まれた列における複数のＬＥＤ２を、最も外側の列と異なる配置としてもよい。最も外側の列に挟まれた列における複数のＬＥＤ２は、たとえば、配線基板３の長手方向に沿って、第１ＬＥＤ２ａだけを配置させる構成としてもよいし、第２ＬＥＤ２ｂだけを配置させる構成としてもよい。最も外側の列に挟まれた列における複数のＬＥＤ２は、配線基板３の長手方向に沿って、第１ＬＥＤ２ａや第２ＬＥＤ２ｂとは異なる色の光を発光する第３ＬＥＤを配置させる構成としてもよい。
【００２２】
ＬＥＤ２は、たとえば、ＬＥＤチップと、ＬＥＤチップを凹所に収納するパッケージと、パッケージの凹所でＬＥＤチップを覆う封止部とを有する構成とすることができる。ＬＥＤ２は、所定の配光の光を放出できるように、レンズを備えていてもよい。ＬＥＤ２は、ＬＥＤチップに、青色ＬＥＤチップを用いることができる。ＬＥＤ２は、セラミック材料や樹脂材料を用いて、パッケージを形成することができる。パッケージの矩形状の底面には、電極が設けられている。ＬＥＤ２の電極は、図３および図４に例示するように、パッケージの矩形状の底面において、底面の一辺から対向する辺に延びるように凸状に形成されたアノード電極２ｃ１を含んでいる。ＬＥＤ２の電極は、パッケージの矩形状の底面において、アノード電極２ｃ１が設けられた一辺と対向する辺から延びるように凸状に形成されているカソード電極２ｃ２を含んでいる。アノード電極２ｃ１は、凹所に収納されたＬＥＤチップの正極と電気的に接続されている。カソード電極２ｃ２は、凹所に収納されたＬＥＤチップの負極と電気的に接続されている。アノード電極２ｃ１およびカソード電極２ｃ２は、たとえば、めっき処理された銅材を用いることができる。銅材は、たとえば、銀やニッケルなどでめっき処理することができる。ＬＥＤ２は、半田からなる接合部により、配線基板３の第１配線３ｃ１もしくは第２配線３ｃ２の配線３ｃと電気的に接続させることができる。
【００２３】
ＬＥＤ２は、封止部の透光性封止材料に、青色ＬＥＤチップから放射される青色光により励起されて黄色光を放射する黄色蛍光体を混合することができる。ＬＥＤ２は、青色ＬＥＤチップから放射される青色光と、黄色蛍光体から放射される黄色光との混色により白色光を得る白色ＬＥＤを構成することができる。透光性封止材料は、たとえば、シリコーン樹脂、エポキシ樹脂もしくはガラスなどを用いることができる。ＬＥＤ２は、黄色蛍光体だけを用いる場合に限られず、赤色蛍光体と緑色蛍光体とを用いてもよい。また、ＬＥＤ２の蛍光体としては、たとえば、黄色蛍光体と赤色蛍光体とを混合させた蛍光体を用いてもよい。ＬＥＤ２は、近紫外ＬＥＤチップと、赤色蛍光体、緑色蛍光体および青色蛍光体とを組み合わせて、白色光が発光可能な白色ＬＥＤを構成してもよい。
【００２４】
ＬＥＤ２は、適宜にＬＥＤチップと蛍光体とを組み合わせることで、所望の色の光を発光するように構成されている。ＬＥＤモジュール１は、異なる色の光を発光する複数のＬＥＤ２として、第１ＬＥＤ２ａと、第２ＬＥＤ２ｂとを備えている。異なる色の光を発光する複数のＬＥＤ２としては、たとえば、昼光色の光を発光することが可能な第１ＬＥＤ２ａと、電球色の光を発光することが可能な第２ＬＥＤ２ｂとを用いることができる。第１ＬＥＤ２ａは、たとえば、ＪＩＳ  Ｚ  ９１１２で示される昼光色の区分に該当するように相関色温度が６５００Ｋの光を発光できるように構成されている。第１ＬＥＤ２ａは、たとえば、青色ＬＥＤチップと、黄色蛍光体と、赤色蛍光体とを備えた構成とすることができる。第２ＬＥＤ２ｂは、たとえば、ＪＩＳ  Ｚ  ９１１２で示される電球色の区分に該当するように、相関色温度が２７００Ｋの光が発光できるように構成されている。第２ＬＥＤ２ｂは、第１ＬＥＤ２ａよりも黄色蛍光体に対する赤色蛍光体の含有量を増やした以外、第１ＬＥＤ２ａと同様の構成とすることができる。
【００２５】
光源ユニット１０は、配線基板３の長手方向に沿って、１列に並んだ一群の複数のＬＥＤ２において、第１ＬＥＤ２ａと第２ＬＥＤ２ｂとが主として交互に配置されている。光源ユニット１０は、取付板４における３か所の固定部４ｃ近傍で、複数のＬＥＤ２を第２配置にさせた以外、第１配置としている。光源ユニット１０は、異なる色の光を発光する複数のＬＥＤ２を第１配置させることで、色むらを抑制することが可能となる。光源ユニット１０は、複数のＬＥＤ２を２列以上で配列させて光出力を向上させる場合、２列以上のうち、最も外側の列における複数のＬＥＤ２から照射される光の色むらが顕著に現れる傾向にあり、第１配置により色むら抑制の効果が大きくなる。
【００２６】
光源ユニット１０は、異なる色の光を発光する複数のＬＥＤ２を、異なる色の複数のＬＥＤ２ごとに個別に電気的に接続させている。光源ユニット１０では、異なる色の光を発光する複数のＬＥＤ２を異なる色のＬＥＤ２ごとに個別に制御する場合、色むらが顕著に現れる傾向にあるため、第１配置により色むら抑制の効果が大きくなる。光源ユニット１０は、異なる色の光を発光する複数のＬＥＤ２ごとを個別に制御する場合でも、ＬＥＤ２を第２配置とすることで、表面３ａａに形成される配線３ｃの引き回しの自由度を確保することができる。光源ユニット１０は、ＬＥＤ２を第２配置させることで、金属製の固定部４ｃと配線３ｃとの電気的な絶縁距離を確保できる。光源ユニット１０は、表面３ａａに形成される配線３ｃの引き回しの自由度を確保することで、配線基板３の短手方向を小さくし、小型化を図ることが容易となる。
【００２７】
光源ユニット１０は、配線基板３の短手方向において、異なる色の光を発光するＬＥＤ２が並ぶように配置している。光源ユニット１０は、配線基板３の短手方向において、異なる色の光を発光するＬＥＤ２が並ぶように配置することで、より色むらを抑制することができる。光源ユニット１０は、ライン状に１列に配置された複数のＬＥＤ２の一群を平行に配置させた２列の場合、第１ＬＥＤ２ａや第２ＬＥＤ２ｂが主として千鳥状に配置されている。
【００２８】
複数のＬＥＤ２それぞれは、配線基板３の短手方向に沿って、アノード電極２ｃ１とカソード電極２ｃ２とが配置されている。第２配置の複数の第１ＬＥＤ２ａは、隣り合う第１ＬＥＤ２ａのアノード電極２ｃ１が配線基板３の長手方向に沿って並んで配置されている。第２配置の複数の第１ＬＥＤ２ａは、隣り合う第１ＬＥＤ２ａのアノード電極２ｃ１が第１配線３ｃ１で電気的に接続されている。第２配置の複数の第２ＬＥＤ２ｂは、隣り合う第２ＬＥＤ２ｂのアノード電極２ｃ１が配線基板３の長手方向に沿って並んで配置されている。第２配置の複数の第２ＬＥＤ２ｂは、第２配線３ｃ２で電気的に接続されていることが好ましい。
【００２９】
光源ユニット１０は、配線基板３の短手方向に沿って、アノード電極２ｃ１とカソード電極２ｃ２とを配置させることで、配線基板３の長手方向に沿って配置させる場合と比較して、複数のＬＥＤ２を近づけて配置させることが可能となる。光源ユニット１０は、複数のＬＥＤ２をより近づけて配置させ、ＬＥＤ２の数をより増やすことで光出力の向上を図ることが可能となる。光源ユニット１０は、異なる色の光を発光する複数のＬＥＤ２をより近づけて配置させることで、混色性の向上を図ることが可能となる。光源ユニット１０は、第２配置の複数のＬＥＤ２が、隣り合うＬＥＤ２のアノード電極２ｃ１同士やカソード電極２ｃ２同士を、配線基板３の長手方向に沿って並んで配置させて電気的に接続されるので、配線基板３の短手方向の幅を狭くすることが可能となる。
【００３０】
配線基板３は、長尺の板状に形成されている。配線基板３は、平面視において、たとえば、３９４ｍｍ×２８．５ｍｍの長尺状に形成することができる。配線基板３は、表面３ａａに所定の形状の配線３ｃを備えている。配線基板３には、厚み方向に貫通する複数の孔部３ｈを備えている。配線基板３の表面３ａａには、複数のＬＥＤ２が、配線基板３の短手方向における中央部において、配線基板３の長手方向に沿って２列に並べて配置されている。配線基板３は、長手方向に沿って、４８個のＬＥＤ２を１列に配置している。配線基板３の表面３ａａには、全部で９６個のＬＥＤ２が配置されている。配線基板３は、たとえば、１列におけるＬＥＤ２同士を７．５５ｍｍのピッチ間で配置させることができる。配線基板３は、たとえば、複数のＬＥＤ２の列のピッチ間を、３．７５ｍｍとすることができる。
【００３１】
配線基板３は、たとえば、セラミック基板を用いて形成することができる。配線基板３は、セラミック基板だけに限らず、たとえば、金属ベースプリント配線板、ガラスエポキシ基板などを用いて形成してもよい。配線３ｃは、所定の形状に形成した導体部により構成されている。導体部の材料としては、たとえば、銅や銅合金を用いることができる。配線３ｃは、第１配線３ｃ１と、第２配線３ｃ２とを含んでいる。第１配線３ｃ１は、第１回路を構成することができるように、複数の導体部により構成されている。第２配線３ｃ２は、第２回路を構成することができるように、複数の導体部により構成されている。配線基板３は、表面３ａａに、ＬＥＤ２、チップ部品３ｊおよび接続端子部３ｔの搭載部位以外を白色のレジスト層などで覆うことができる。配線基板３は、白色のレジスト層で、反射層を形成することができる。反射層は、ＬＥＤ２から放射された光が配線基板３に吸収されることを抑制することができる。
【００３２】
配線基板３は、チップ部品３ｊを用いて、第１回路と第２回路とを短絡させることなく、第１配線３ｃ１における複数の導体部同士や、第２配線３ｃ２における複数の導体部同士を電気的に接続させることができる。チップ部品３ｊは、配線基板３の表面３ａａ上において、第１回路と第２回路とを短絡させることがないように、第１配線３ｃ１と第２配線３ｃ２とを立体的に交差させることができる。チップ部品３ｊは、たとえば、ジャンパー素子を用いて構成することができる。ジャンパー素子は、離れた電気回路間を電気的に接続させることができる。ジャンパー素子は、ゼロ・オーム抵抗器を用いることができる。
【００３３】
チップ部品３ｊは、たとえば、ベースと、一対の内部電極と、めっき部と、抵抗被膜と、保護膜とを備えた構造とすることができる。ベースは、矩形平板状の外形形状に形成されている。ベースの材料は、セラミックを用いることができる。内部電極は、ベースの両端に形成される。めっき部は、内部電極を被覆するように構成される。抵抗被膜は、ベースの表面に設けられる。抵抗被膜は、一対の内部電極同士を電気的に接続させる。保護膜は、ベースの中央部に設けられる。保護膜は、めっき部の一部と抵抗被膜とを被覆するように形成される。チップ部品３ｊは、半田からなる接合部により、配線基板３の配線３ｃと電気的に接続させることができる。チップ部品３ｊは、ＬＥＤ２と同様に、配線基板３の表面３ａａに表面実装させることができる。チップ部品３ｊは、配線基板３の表面３ａａに表面実装させることで、配線基板３の片面である表面３ａａだけに配線３ｃを設けた構成であっても、第１回路と第２回路を短絡させることなく、第１配線３ｃ１と第２配線３ｃ２とを立体的に交差させることができる。光源ユニット１０では、ＬＥＤモジュール１は、第１配線３ｃ１と第２配線３ｃ２とを立体的に交差させるジャンパー素子を配線基板３の表面３ａａに有していることが好ましい。
【００３４】
光源ユニット１０は、ジャンパー素子を配線基板３の表面３ａａに有していることで、配線基板３の表面３ａａの配線３ｃを用いて、第１回路の複数の第１ＬＥＤ２ａごと、第２回路の複数の第２ＬＥＤ２ｂごとに各別に電気的に接続させることが容易となる。光源ユニット１０は、たとえば、昼光色の光を発光する第１ＬＥＤ２ａを電気的に接続させた第１回路と、電球色の光を発光する第２ＬＥＤ２ｂを電気的に接続させた第２回路に流れる電流を各別に調整し、昼光色から電球色までの任意の色調の光を照射できる。光源ユニット１０は、配線基板３の表面３ａａ側において、第１回路と、第２回路とを構成できるため、配線基板３の裏面３ｂａを導電性の放熱板に配置させることが可能となる。光源ユニット１０は、配線基板３の裏面３ｂａを金属材料より形成された取付板４の一端面４ａａに当接させて、取付板４を放熱板として利用することができる。
【００３５】
接続端子部３ｔは、半田からなる接合部により、配線基板３の配線３ｃと電気的に接続されている。接続端子部３ｔは、給電用の電線４ｔと電気的に接続されている。電線４ｔは、リード線を用いている。接続端子部３ｔは、配線３ｃと電気的に接続されて、複数のＬＥＤ２に電力を給電できるように構成されている。接続端子部３ｔは、異なる発光色のＬＥＤ２ごとに給電できるように、２つ設けられている。
【００３６】
配線基板３は、図１、図３および図４に示すよう、短手方向における配線基板３の外周端から第２配線３ｃ２までの絶縁距離が、複数のＬＥＤ２が配置された第１配置に対応する第１領域３ｗ１よりも第２配置に対応する第２領域３ｗ２で大きくできる。配線基板３は、さらに、厚み方向に貫通する孔部３ｈが第２領域３ｗ２で設けられている。取付板４は、金属材料により形成されている。取付板４は、配線基板３の表面３ａａと反対の裏面３ｂａを一端面４ａａに配置させている。取付板４は、配線基板３を固定する固定部４ｃを有している。取付板４は、孔部３ｈに挿通させた固定部４ｃが配線基板３を固定していることが好ましい。
【００３７】
第１配置に対応する第１領域３ｗ１は、配線基板３の長手方向において、第１配置されたＬＥＤ２のピッチ間と、短手方向における配線基板３の外周端から第１配線３ｃ１や第２配線３ｃ２までとの間で囲まれる領域とすることができる。第２配置に対応する第２領域３ｗ２は、配線基板３の長手方向において、第２配置されたＬＥＤ２のピッチ間と、短手方向における配線基板３の外周端から第１配線３ｃ１や第２配線３ｃ２までとの間で囲まれる領域とすることができる。
【００３８】
光源ユニット１０では、第１領域３ｗ１における配線基板３の外周端から第２配線３ｃ２までの第２絶縁距離３ｄ２が、第２領域３ｗ２における配線基板３の外周端から第２配線３ｃ２までの第１絶縁距離３ｄ１よりも大きい。光源ユニット１０は、孔部３ｈが配線基板３の第２領域３ｗ２に設けられていることで、配線３ｃまでの絶縁距離を確保することが可能となる。同様に、光源ユニット１０は、第１領域３ｗ１における配線基板３の外周端から第１配線３ｃ１までの絶縁距離が、第２領域３ｗ２における配線基板３の外周端から第１配線３ｃ１までの絶縁距離よりも大きい。光源ユニット１０は、孔部３ｈが配線基板３の第２領域３ｗ２に設けられていることで、配線３ｃまでの絶縁距離を確保することが可能となる。
【００３９】
取付板４は、断面視がＣ字状で、長尺状の外形形状に形成されている。取付板４は、底壁部４ａと、一対の側壁部４ｂとを有している。底壁部４ａは、平面視において、矩形板状に形成されている。底壁部４ａの中央部には、長手方向に沿って、凹所４ｄが設けられている。取付板４は、凹所４ｄに配線基板３が収容できるように構成されている。凹所４ｄは、凹所４ｄの底から立ち上がる壁面４ｆが、ＬＥＤ２からの光を反射できるように、反射面４ａｃを構成している。凹所４ｄは、光を反射する機能を備えることにより、ＬＥＤ２からの光を有効利用できる。側壁部４ｂは、底壁部４ａの短手方向における両端から底壁部４ａと直交する方向に延びるように設けられている。側壁部４ｂの先端には、外方に向かって突出する突出部４ｅが設けられている。取付板４は、長手方向の全長に亘って、突出部４ｅを設けている。突出部４ｅは、側壁部４ｂに対して傾斜するように設けられている。
【００４０】
凹所４ｄには、複数の固定部４ｃが設けられる。固定部４ｃは、凹所４ｄの底を切り起こすことで形成されている。固定部４ｃは、鈎形の外形形状に形成されている。固定部４ｃは、切り起こされた部分が配線基板３の孔部３ｈに挿通された後、先端側がＬＥＤ２から遠のく方向に折り曲げられて形成される。取付板４は、固定部４ｃと凹所４ｄとの間に配線基板３を挟み込んで、配線基板３を固定することができる。
【００４１】
取付板４は、板金に曲げ加工を施すことにより形成することができる。取付板４は、たとえば、鋼板を用いて形成することができる。取付板４の材料は、鋼板だけに限られず、アルミニウム、銅やステンレスなどの金属材料により形成してもよい。光源ユニット１０は、取付板４の材料を樹脂に比べて熱伝導性の高い鋼板により形成している場合、ＬＥＤ２で発生した熱を、取付板４を通して効率よく外部に放熱させることが可能となる。
【００４２】
光源ユニット１０では、配線基板３と取付板４とを直接当接させて配置する構成だけには限られない。光源ユニット１０は、放熱グリスを介して、配線基板３と取付板４とを配置させることもできる。配線基板３と取付板４とは、放熱グリスを介して、配置されることで、配線基板３の裏面３ｂａや取付板４の一端面４ａａに凹凸があっても、効率よく熱伝導させることができる。
【００４３】
放熱グリスは、たとえば、シリコーン樹脂中に金属粒子やセラミックス粒子を含有した構成とすることができる。放熱グリスは、配線基板３と取付板４との密着性を高めることができる。光源ユニット１０は、放熱グリスを用いることで、ＬＥＤ２で生じた熱を取付板４に効率よく熱伝導させることができる。光源ユニット１０は、放熱グリスを用いる場合だけでなく、配線基板３と取付板４との間に放熱シートを設けてもよい。
【００４４】
放熱シートは、電気絶縁性と熱伝導性に優れ、弾性力を有するエラストマー材料を用いることができる。放熱シートは、たとえば、シリコーンゲルシートを使用することができる。シリコーンゲルシートは、ゲル状で架橋密度が低いシリコーン樹脂を用いて構成されている。放熱シートは、シリコーンゲルシートだけでなく、アクリル樹脂材料を用いてもよい。放熱シートは、粘着性を備えさせ接着シートとして機能させてもよい。
【００４５】
取付板４には、コネクタ１０ａが取り付けられている。コネクタ１０ａは、配線基板３が配置された取付板４の一端面４ａａと反対側に配置されている。コネクタ１０ａは、取付板４の長手方向における一端部に設けられている。コネクタ１０ａは、コネクタ１０ａから導出させた電線４ｔを接続端子部３ｔと電気的に接続させている。コネクタ１０ａは、後述する電源ユニット４０の出力線の先端に設けられるプラグコネクタが差込接続されるように構成されている。
【００４６】
カバー部材８は、ＬＥＤモジュール１を覆うことができるように、長尺状に構成されている。カバー部材８は、ＬＥＤモジュール１を保護することができる。カバー部材８は、半円筒状の光出射部８ａと、一対の突壁部８ｂとを備えている。突壁部８ｂは、光出射部８ａの長手方向に沿って設けられている。一対の突壁部８ｂは、光出射部８ａの両端部より互いに平行に突出するように形成されている。一対の突壁部８ｂの先端それぞれには、互いに近づく向きに突出する突起部８ｃが一体に設けられている。突起部８ｃは、取付板４の突出部４ｅに引っ掛けることができるように構成されている。突壁部８ｂには、突壁部８ｂから突出する突起部８ｃと光出射部８ａとの間に対向する突壁部８ｂに向かうように内側に突出する内突部８ｅを備えている。光出射部８ａの長手方向に沿った端部には、光出射部８ａと連なるように突壁部８ｂの外側まで延出された延出部８ｄが形成されている。カバー部材８は、突起部８ｃと内突部８ｅとで、側壁部４ｂを挟み持つことができるように構成されている。カバー部材８は、光出射部８ａと突壁部８ｂと突起部８ｃと延出部８ｄと内突部８ｅが一体的に形成されている。
【００４７】
カバー部材８は、突壁部８ｂに貫通して設けられた第１ねじ挿通孔と、取付板４の側壁部４ｂに貫通して設けられた第２ねじ挿通孔とに、螺子９ｃが挿通されて、取付板４に固定される。カバー部材８は、透光性を有している。カバー部材８は、ＬＥＤ２から放射された光を効率よく透過できる構成が好ましい。カバー部材８は、たとえば、アクリル樹脂、ポリカーボネート樹脂やガラスなどの透光性材料により形成することができる。カバー部材８は、ＬＥＤ２からの光を集光や拡散させるため、光出射部８ａにレンズ機能を備えた構成としてもよい。
【００４８】
カバーエンド８ｆは、カバー部材８の両端の開口を閉塞する。カバーエンド８ｆは、半円板状の外形形状に形成される。カバーエンド８ｆは、カバー部材８および取付板４の長手方向の端部に取り付けられる。カバーエンド８ｆは、カバー部材８および取付板４の長手方向の端部に取り付けられることで、カバー部材８の両端の開口を閉塞する。カバーエンド８ｆは、たとえば、合成樹脂材料を用いて形成することができる。
【００４９】
取付金具９は、固定片９ａと、一対の脚片９ｂとを備えている。取付金具９は、側面視において、固定片９ａと、一対の脚片９ｂとで、Ｃ字状の外形形状に形成されている。固定片９ａは、平面視において、長方形の板状の外形形状をしている。脚片９ｂは、固定片９ａの長手方向の端部から固定片９ａと直交する方向に突出している。取付金具９は、固定片９ａと、脚片９ｂとが一体に形成されている。取付金具９は、金属板の折り曲げ加工により形成することができる。取付金具９は、取付板４における一対の側壁部４ｂの間に収めることができるように構成されている。脚片９ｂには、取付板４の側壁部４ｂにねじ止めするためのねじ孔が設けられている。取付金具９は、脚片９ｂのねじ孔に、螺子９ｃが、ねじ止めできるように構成されている。取付板４は、突壁部８ｂの第１ねじ挿通孔と側壁部４ｂの第２ねじ挿通孔とに挿通する螺子９ｃが脚片９ｂにねじ止めされることで、取付金具９に固定される。
【００５０】
以下では、光源ユニット１０の組立工程について説明する。
【００５１】
光源ユニット１０の組立工程では、ＬＥＤモジュール１を予め形成して準備している。ＬＥＤモジュール１は、第１ＬＥＤ２ａと、第２ＬＥＤ２ｂと、チップ部品３ｊと、接続端子部３ｔとをそれぞれ配線基板３における表面３ａａの配線３ｃ上にクリーム半田を介して配置させた上で、リフロー処理して形成することができる。ＬＥＤモジュール１では、複数のＬＥＤ２を第１配置と第２配置とで配置している。組立工程では、固定部４ｃとなる金属片が凹所４ｄの底から板状に突出した状態の取付板４を予め準備している。予め準備された取付板４には、コネクタ１０ａが取り付けられている。
【００５２】
組立工程では、取付板４の凹所４ｄにＬＥＤモジュール１を載せ置く。ＬＥＤモジュール１は、取付板４に載せ置かれることで、孔部３ｈに固定部４ｃとなる金属片が挿入される。続いて、組立工程では、平面視において、固定部４ｃとなる金属片がＬＥＤ２から離れる向きに折り曲げ加工される。光源ユニット１０は、固定部４ｃとなる金属片の変形により、凹所４ｄと固定部４ｃとで配線基板３を挟み込んで、配線基板３を取付板４に固定する。組立工程では、コネクタ１０ａからの電線４ｔと配線基板３の接続端子部３ｔとを電気的に接続させる。
【００５３】
次に、組立工程では、配線基板３を覆うように、カバー部材８を取付板４に取り付ける。カバー部材８は、射出成形により予め形成されている。組立工程では、カバー部材８の突起部８ｃが取付板４の突出部４ｅに嵌め合わせられる。組立工程では、一対の突出部４ｅの間に取付金具９が収容されるように、取付板４に取付金具９が嵌め合わせられる。取付金具９は、金属板の折り曲げ加工により予め形成されている。
【００５４】
続いて、組立工程では、カバー部材８の突壁部８ｂ、取付板４の側壁部４ｂの順に挿通した螺子９ｃを、取付金具９の脚片９ｂにねじ止めすることにより、カバー部材８と取付板４と取付金具９とを一体的に固定する。組立工程では、カバーエンド８ｆがカバー部材８および取付板４の長手方向の端部に取付けられることで、光源ユニット１０を組み立てることができる。
【００５５】
（実施形態２）
本実施形態の照明器具３０は、実施形態１の光源ユニット１０を備えた構成としている。なお、実施形態１と同様の構成要素には、同一の符号を付して説明を適宜省略する。
【００５６】
本実施形態の照明器具３０は、実施形態１の光源ユニット１０と、光源ユニット１０が取り付けられる器具本体３１とを備えている。
【００５７】
本実施形態の照明器具３０は、小型化を図りつつ、より色むらを少ない光源ユニット１０を備えた構成とすることが可能となる。
【００５８】
以下では、光源ユニット１０を備えた照明器具３０について、図６ないし図１０を参照しながら説明する。
【００５９】
照明器具３０は、複数の光源ユニット１０が器具本体３１に取り付けられている。器具本体３１は、光源ユニット１０の取り付けと取り外しを自在に行うことができるように構成されている。光源ユニット１０は、固定片９ａの中央に、器具本体３１の取付部材３５にねじ止めするためのねじ孔が設けられている。照明器具３０は、光源ユニット１０と器具本体３１の取付部材３５とを螺子を用いて取り付けられている。照明器具３０は、螺子を外すことで、器具本体３１の取付部材３５から光源ユニット１０を取り外すことができる。照明器具３０は、３つの光源ユニット１０が長手方向に沿って互いに平行となるように配置される。照明器具３０は、隣接する光源ユニット１０の間隔が何れも等しくなるように並べた状態で、器具本体３１に光源ユニット１０が固定される。
【００６０】
器具本体３１は、枠体３１ａと、ベース板３１ｂと、取付部材３５と、反射部材３６と、電源ユニット４０と、を備えている。器具本体３１は、角筒状の枠体３１ａに矩形平板状のベース板３１ｂを結合させることで、一面が開放された矩形箱状の外形形状をしている。枠体３１ａは、図７に示すように、一対の第１側板３１ｃと、一対の第２側板３１ｄと、フランジ３１ｅとを有する。一対の第１側板３１ｃは、対向して配置されている。一対の第２側板３１ｄは対向して配置されている。第１側板３１ｃと第２側板３１ｄとは、それぞれ直交する方向に配置されている。枠体３１ａは、平面視において、一対の第１側板３１ｃと、一対の第２側板３１ｄとで矩形枠状に形成されている。枠体３１ａは、第１側板３１ｃと、第２側板３１ｄとで形成された矩形枠状の外方に向かって伸びるフランジ３１ｅが設けられている。
【００６１】
第１側板３１ｃは、第１縦板３１ｆと、傾斜板３１ｇと、第１取付片３１ｈとを備えている。第１縦板３１ｆは、矩形板状の外形形状をしている。傾斜板３１ｇは、矩形板状の外形形状をしている。傾斜板３１ｇは、第１縦板３１ｆの第１端縁から斜めに突出するように設けられている。第１取付片３１ｈは、第１縦板３１ｆにおいて、傾斜板３１ｇと反対側の第２端縁から突出するように設けられている。第１取付片３１ｈは、第１縦板３１ｆと直交する方向に沿って、傾斜板３１ｇの突出する方向と反対向きに突出している。第１側板３１ｃは、第１縦板３１ｆと傾斜板３１ｇと第１取付片３１ｈとで一体に形成されている。第１側板３１ｃは、鋼板などの金属板の折り曲げ加工により形成することができる。
【００６２】
第２側板３１ｄは、第２縦板３１ｊと、取付片３１ｋと、接合片３１ｍとを備えている。第２側板３１ｄは、第２縦板３１ｊと取付片３１ｋと接合片３１ｍとで一体に形成されている。第２側板３１ｄは、鋼板などの金属板の折り曲げ加工により形成することができる。第２縦板３１ｊは、台形状の外形形状をしている。取付片３１ｋは、第２縦板３１ｊの端縁から突出するように設けられている。取付片３１ｋは、第２縦板３１ｊの端縁から内向きで水平に突出している。一対の接合片３１ｍは、第２縦板３１ｊの側端部に設けられている。
【００６３】
第１側板３１ｃは、長手方向における両端に第２側板３１ｄがそれぞれ接合される。第１側板３１ｃと第２側板３１ｄとは、第２側板３１ｄの接合片３１ｍが第１側板３１ｃの第１縦板３１ｆに溶接されている。
【００６４】
フランジ３１ｅは、平面視において、矩形枠状の外形形状に形成されている。フランジ３１ｅは、金属板の加工により形成することができる。フランジ３１ｅは、第１側板３１ｃと第２側板３１ｄとの第２端縁に接合される。
【００６５】
ベース板３１ｂは、矩形状の平板部を囲むように４つの端部が形成されている。ベース板３１ｂは、４つの端部が同じ向きに曲げ起こされている。ベース板３１ｂは、鋼板などの金属板を用いて形成することができる。ベース板３１ｂは、曲げ加工により機械的な強度の向上が図られている。ベース板３１ｂは、第１挿通孔３１ｂａと、第２挿通孔３１ｂｂとを備えている。ベース板３１ｂは、複数のボルト挿通孔３１ｂｃが１列に並べて設けられている。
【００６６】
第１挿通孔３１ｂａは、給電用の電源線が挿通される。電源線は、一端が第１端子台３９と電気的に接続される。第１端子台３９は、図６に示すように、取付部材３５と対向するベース板３１ｂの表面側に固定されている。ベース板３１ｂには、第１端子台３９と同様に、第２端子台３７も固定されている。電源ユニット４０は、第１端子台３９を介して、交流電力が給電できる構成されている。第２挿通孔３１ｂｂは、外部制御信号などが伝送される信号線が挿通される。
【００６７】
ボルト挿通孔３１ｂｃは、吊りボルトが挿通できるように構成されている。ボルト挿通孔３１ｂｃに挿通される吊りボルトには、ナットが締め付けられる。ベース板３１ｂは、枠体３１ａの第１取付片３１ｈに取り付けられる。第１取付片３１ｈは、複数のブリッジ３１ｓを備えている。複数のブリッジ３１ｓは、第１取付片３１ｈの長手方向に沿って、所定の間隔を空けて形成されている。第１取付片３１ｈは、図６に示すように、ベース板３１ｂに設けられた爪３１ｔが、ブリッジ３１ｓに引っ掛けることができるように構成されている。ベース板３１ｂは、爪３１ｔをブリッジ３１ｓに引っ掛けることで、枠体３１ａに取り付けられる。
【００６８】
器具本体３１は、吊りボルトにナットが締め付けられることで、天井板側に固定される。器具本体３１は、枠体３１ａのフランジ３１ｅが天井板の下面側に露出し、フランジ３１ｅ以外の部分が天井板の埋込孔に挿入される。フランジ３１ｅは、埋込孔の周縁と器具本体３１との間に生じる隙間を塞いで隠すことができる。
【００６９】
取付片３１ｋは、平面視において、長方形状の外形形状をしている。取付片３１ｋは、図６に示すように、長手方向において、２つのラッチ３２が所定の間隔を空けて取り付けられている。ラッチ３２は、摘み部３２ａと、支持部３２ｂとを有する。摘み部３２ａは、直方体状の外形形状に形成されている。支持部３２ｂは、摘み部３２ａを回転可能に支持することができるように構成されている。ラッチ３２は、取付片３１ｋの取付孔に支持部３２ｂの一部が挿通されて取付片３１ｋに取り付けられる。
【００７０】
取付部材３５は、平面視において、矩形状の外形形状をしている。取付部材３５は、矩形状の平板を囲むように端部が形成されている。取付部材３５は、４つの端部が同じ向きに曲げ起こされている。取付部材３５は、４つ端部が同じ向きに曲げ起こされていることで、機械的な強度の向上が図られている。取付部材３５は、たとえば、鋼板などの金属板を用いて形成することができる。取付部材３５には、図７に示すように、取付部材３５の１辺に沿って、３つの窓孔３５ａａが等間隔に設けられている。取付部材３５は、光源ユニット１０のコネクタ１０ａが、窓孔３５ａａに臨むように配置される。取付部材３５は、厚み方向に貫通した挿通孔３５ｂａが設けられている。挿通孔３５ｂａは、平面視において、矩形形状に形成されている。挿通孔３５ｂａは、ラッチ３２の摘み部３２ａが挿通できるように、摘み部３２ａよりも若干大きく形成されている。
【００７１】
照明器具３０の天井板への取り付け工程では、埋込孔に埋め込まれた器具本体３１に光源ユニット１０が取り付けられた取付部材３５を収納する。取り付け工程では、器具本体３１に収納された取付部材３５の挿通孔３５ｂａに、ラッチ３２の摘み部３２ａを挿通する。照明器具３０は、取付部材３５の挿通孔３５ｂａに挿通された摘み部３２ａが回転されて、挿通孔３５ｂａに対して摘み部３２ａの抜け止めを行うことができる。照明器具３０は、４つの摘み部３２ａを用いて、光源ユニット１０が取り付けられた取付部材３５を、器具本体３１に対して取り外し自在に取り付けられる。
【００７２】
反射部材３６は、取付部材３５に固定される。反射部材３６は、取付部材３５における隣り合う光源ユニット１０の間に配置される。反射部材３６は、反射板３６ａと、一対の側板３６ｂとを有している。一対の側板３６ｂは、反射板３６ａにおける端からそれぞれ延出されるように構成されている。側板３６ｂは、複数の差込孔３６ｂａを備えている。一対の反射板３６ａは、長手方向に沿った一方の端縁同士が繋がっている。一対の反射板３６ａは、長手方向から見て、Ｖ字状に形成されている。反射部材３６は、金属板の曲げ加工により形成することができる。反射部材３６は、側板３６ｂの差込孔３６ｂａに、取付部材３５の差込部３５ｄが差し込まれることができるように構成されている。反射部材３６は、図６および図７に示すように、差込孔３６ｂａに差込部３５ｄが差し込まれることで、取付部材３５に取り付けられる。
【００７３】
反射部材３６は、ＬＥＤモジュール１からの光を、所望の被照射面に効率よく放射させることが可能となる。照明器具３０では、最も外側の列において、複数のＬＥＤ２が第１配置で配置されていることにより、反射部材３６での反射と相まって色むらを、より抑制することが可能となる。
【００７４】
電源ユニット４０は、電源回路部４０ａと、第１ケース４０ｂとを有する。電源回路部４０ａは、電子部品がプリント配線板に実装されて構成される。電子部品は、電源回路部４０ａを構成する各種の回路を構成するために用いられる。各種の回路としては、たとえば、フィルタ回路、昇圧回路、降圧回路、主制御回路、制御電源回路、調光制御回路、消灯制御回路などが挙げられる。電源回路部４０ａは、各種の回路に加えて、たとえば、入力コネクタ、整流器、出力コネクタ、制御用コネクタなどを備えた構成とすることができる。電源回路部４０ａは、図１０で示すように、第１回路を構成する第１ＬＥＤ回路部４０ｃと、第２回路を構成する第２ＬＥＤ回路部４０ｄとを各別に制御できるように構成されている。入力コネクタは、第１端子台３９を介して、外部電源５０と電気的に接続される。外部電源５０は、たとえば、商用交流電源を用いることができる。第１ケース４０ｂは、電源回路部４０ａを収納する。第１ケース４０ｂは、図７および図８に示すように、金属製の板材によって、下面が開放された長尺の箱形に形成されている。第１ケース４０ｂは、長手方向に対向する一対の側板に通線用の孔４２が設けられている。
【００７５】
固定板３８は、主部３８ａと第１側部３８ｂと第２側部３８ｃと庇部３８ｄと囲い部３８ｅとを有している。固定板３８は、金属製の板材の折り曲げ加工で形成することができる。主部３８ａは、長尺の矩形平板状に形成される。第１側部３８ｂは、主部３８ａの長手方向に沿った一端縁から主部３８ａと直交する向きに立ち上がる矩形の平板状に形成される。第２側部３８ｃは、第１側部３８ｂと同様に、主部３８ａの長手方向に沿った他端縁から主部３８ａと直交する向きに立ち上がる矩形の平板状に形成される。第２側部３８ｃは、第１側部３８ｂよりも高さ寸法が短く形成されている。庇部３８ｄは、矩形の平板状であって、第２側部３８ｃの端から外向きに突出するように形成されている。囲い部３８ｅは、主部３８ａの左側の端縁に連結されている。囲い部３８ｅは、矩形の板材が長手方向に沿ってく字形に曲げられて構成される。
【００７６】
電源ユニット４０は、たとえば、ねじ止めなどの適宜の方法で、第１ケース４０ｂが固定板３８に取り付けられる。電源ユニット４０は、第１ケース４０ｂが固定板３８に取り付けられた状態において、第１ケース４０ｂの開口が固定板３８で塞がれる。電源ユニット４０は、固定板３８の主部３８ａに取り付けられる。固定板３８は、取付部材３５の窓孔３５ａａを庇部３８ｄで覆うように配置される。固定板３８は、取付部材３５にねじ止めして固定される。
【００７７】
照明器具３０は、器具本体３１を金属製としてあるので、樹脂製の場合に比べて、光源ユニット１０のＬＥＤ２で発生した熱を、器具本体３１を通して効率よく外部に放熱させることが可能となる。器具本体３１の材料としては、鋼板を採用している。器具本体３１の材料は、鋼板だけに限られず、たとえば、アルミニウム、ステンレスや銅合金などを採用してもよい。本実施形態の照明器具３０は、特定の光源ユニット１０を備えることで、小型化を図りつつ、より色むらを少なくすることが可能となる。
【符号の説明】
【００７８】
１  ＬＥＤモジュール
２  ＬＥＤ
２ａ  第１ＬＥＤ
２ｂ  第２ＬＥＤ
２ｃ１  アノード電極
２ｃ２  カソード電極
３  配線基板
３ａａ  表面
３ｂａ  裏面
３ｃ１  第１配線
３ｃ２  第２配線
３ｊ  チップ部品（ジャンパー素子）
３ｗ１  第１領域
３ｗ２  第２領域
３ｈ  孔部
４  取付板
４ａａ  一端面
４ｃ  固定部
１０  光源ユニット
３０  照明器具
３１  器具本体
【図１】
0006376496.tif 000002
【図２】
0006376496.tif 000003
【図３】
0006376496.tif 000004
【図４】
0006376496.tif 000005
【図５】
0006376496.tif 000006
【図６】
0006376496.tif 000007
【図７】
0006376496.tif 000008
【図８】
0006376496.tif 000009
【図９】
0006376496.tif 000010
【図１０】
0006376496.tif 000011